(57)【要約】【課題】ハエやハチ等の飛翔昆虫類を良好に誘引し捕獲することができ、しかも、使用者に不快感を与えるといったことのない飛翔昆虫類捕獲器を提供する。【解決手段】内部に捕獲室２を形成すると共に、下部に縦向きの侵入用穴部７を設けた捕獲容器１と、この捕獲容器１の侵入用穴部７から吊り下げられた吊り下げ誘引板１０と、からなる飛翔昆虫類捕獲器である。【選択図】図３
2008283927.tif 000002
【特許請求の範囲】
【請求項１】
内部に捕獲室２を形成すると共に、下部に縦向きの侵入用穴部７を設けた捕獲容器１と、
この捕獲容器１の侵入用穴部７から吊り下げられた吊り下げ誘引板１０と、
からなることを特徴とする飛翔昆虫類捕獲器。
【請求項２】
前記吊り下げ誘引板１０にあっては、上辺２０を山形又は弓形等にして、上端に向かって横幅が狭くなる形状にしたことを特徴とする請求項１記載の飛翔昆虫類捕獲器。
【請求項３】
前記吊り下げ誘引板１０にあっては、複数枚の吊り下げ誘引板１０を幅方向で交差させてつなぎ合わせたことを特徴とする請求項１又は請求項２記載の飛翔昆虫類捕獲器。
【発明の詳細な説明】
【技術分野】
【０００１】
本発明は、ハエやハチ等の飛翔昆虫類を捕獲するために用いられる飛翔昆虫類捕獲器に関する。
【背景技術】
【０００２】
飛翔昆虫類、例えばハエを駆除するには、内部に殺虫剤を充填したエアゾールを用いて、駆除するハエに殺虫剤を噴霧して、これを駆除するのが一般的な手法であった。
【０００３】
しかしながら、このエアゾールを用いたハエの駆除にあっては、いろいろな制約を受けるおそれがあり、これは、ハエ等が多く発生する食品や食器類のある台所付近では、エアゾールより噴霧した殺虫剤が食品や食器類に付着してしまうといった問題があり、これにより、食品や食器類のある台所付近での使用を控えているのが実情であった。
【０００４】
このため、エアゾールによる殺虫剤の噴霧といった手法に代わって、ハエ取りリボンやハエ取り紙等を用いて、これらにハエを粘着させて捕獲する手法が考えられるが、このハエ取りリボンやハエ取り紙等では、どうしても粘着剤で捕獲したハエの死骸等が剥き出しのままとなり、使用中、使用者に不快感を与えるといった問題があったり、あるいは、粘着剤が露出しているので、使用者の手や衣服等に当該ハエ取りリボンやハエ取り紙等がくっついてしまうといったことがあり、取扱いに注意を払う必要があった。
【０００５】
そこで、ハエ取りリボンやハエ取り紙等に代わって、捕獲器が普及しつつある。この捕獲器としては、例えば、特開２００３−７０４０３号公報に記載されているように、球体状の容器において、その上部と下部とに害虫であるハエ等が侵入可能な小穴と大穴とを設けると共に、内部にハエ等を誘引して殺す作用を有する誘引殺虫剤を収納する。これによって、内部に収納した誘引殺虫剤の臭気が上下の小穴と大穴とから外部に放散され、この臭気に誘われて、小穴あるいは大穴よりハエ等が容器の内部に引き入れられる。そして、容器の内部に引き入れられたハエ等が内部において誘引殺虫剤に触れることで死ぬようになっていた。
【特許文献１】特開２００３−７０４０３号公報
【発明の開示】
【発明が解決しようとする課題】
【０００６】
しかしながら、従来の捕獲器にあっては、容器の内部に収納する誘引殺虫剤の臭気が弱いと、ハエ等を全く誘引することができず、また逆に、誘引殺虫剤の臭気を強くすると、今度は誘引殺虫剤の臭気を人間である使用者も嗅ぐことになり、使用者が不快感を覚えるといった問題が生じると共に、誘引殺虫剤の臭気によるハエ等の誘引には限界があり、臭気を強くしても、ハエ等を良好に誘引することができないといった問題があった。
【０００７】
そこで、本発明は、このような各問題の解消、すなわち、ハエやハチ等の飛翔昆虫類を良好に誘引し捕獲することができ、しかも、使用者に不快感を与えるといったことのない飛翔昆虫類捕獲器を提供することを、その課題とする。
【課題を解決するための手段】
【０００８】
第一の発明は、内部に捕獲室を形成すると共に、下部に縦向きの侵入用穴部を設けた捕獲容器と、この捕獲容器の侵入用穴部から吊り下げられた吊り下げ誘引板と、からなる飛翔昆虫類捕獲器である。
【０００９】
第二の発明は、第一の発明において、前記吊り下げ誘引板にあっては、上辺を山形又は弓形等にして、上端に向かって横幅が狭くなる形状にした飛翔昆虫類捕獲器である。
【００１０】
第三の発明は、第一又は第二の発明において、前記吊り下げ誘引板にあっては、複数枚の吊り下げ誘引板を幅方向で交差させてつなぎ合わせた飛翔昆虫類捕獲器である。
【発明の効果】
【００１１】
本発明によれば、捕獲容器から吊り下げられた吊り下げ誘引板に、ハエやハチ等の飛翔昆虫類が、足場として着地するようになり、着地したハエやハチ等の飛翔昆虫類が、その負の走地性により、吊り下げ誘引板を上方に向かって移動して、上方の捕獲容器内部へと入り込むようになり、これにより、ハエやハチ等の飛翔昆虫類を極めて良好に誘引して捕獲することができる。よって、従来の誘引殺虫剤等の臭気によってハエ等の飛翔昆虫類を誘引して捕獲するものと比べても、極めて高い捕獲効果を得ることができる。しかも、吊り下げ誘引板には一切粘着剤等が付いていないので、使用中、捕獲したハエの死骸等が剥き出しのままとなるのをなくし、使用者に不快感を与えるといった問題をなくすことができ、また、使用者の手や衣服等が粘着剤等にくっついてしまうといった問題もなくすことができ、極めて良好に当該飛翔昆虫類捕獲器を使用することができる。
【００１２】
また、吊り下げ誘引板の上辺を山形又は弓形等にして、上端に向かって横幅が狭くなる形状にしたことにより、吊り下げ誘引板の上部において、ハエやハチ等の飛翔昆虫類をスムーズに上方に移動させることができ、これによって、ハエやハチ等の飛翔昆虫類の捕獲率を大幅に高めることができる。
【００１３】
また、吊り下げ誘引板において、複数枚の吊り下げ誘引板を幅方向で交差させてつなぎ合わせたことにより、吊り下げ誘引板を３６０度どの方向からもハエやハチ等の飛翔昆虫類に視認させることができ、吊り下げ誘引板にハエやハチ等の飛翔昆虫類を良好に着地させることができ、これによっても、ハエやハチ等の飛翔昆虫類の捕獲率を大幅に高めることができる。
【発明を実施するための最良の形態】
【００１４】
本発明による飛翔昆虫類捕獲器の一実施形態について説明する。
【００１５】
図１、図２、図３に示すように、内部に捕獲室２を形成する捕獲容器１を備え、この捕獲容器１は、略半球状の上部容器体３と、この上部容器体３の下部に着脱自在に嵌合する円形皿状の下部容器体４とから中空構造に形成して、ここを捕獲室２にしたものである。そして、この捕獲容器１における上部容器体３は、その中央上端に小さい径の小穴部５を設ける。
【００１６】
一方、捕獲容器１における下部容器体４は、その下部の中央において上方に向かって立ち上がる円筒状の筒部６を設けて、その上端を開放することで、ここに大きな径の縦向きの円形状の侵入用穴部７が設けられる。そして、この下部容器体４における侵入用穴部７の周囲にはリング状の凹部８が設けられる。
【００１７】
なお、この上部容器体３と下部容器体４とからなる捕獲容器１にあっては、前述した略半球状や円形皿状に限定されるものではなく、円錐や角錐である錐体状のもの、円柱や角柱である柱体状のもの、直方体状のもの、多面体状のもの等、他の形状のものでも良い。
【００１８】
そして、この捕獲容器１の侵入用穴部７から縦長の長方形状である短冊状の吊り下げ誘引板１０を吊り下げる。この吊り下げ誘引板１０は、紙、木材、樹脂等の材料より作られる。また、吊り下げ誘引板１０は、上部に紐１１を取り付けて、この紐１１は、捕獲容器１の上部容器体３における小穴部５を貫通し、その上端を輪にすると共に、所望の箇所に球状の押し玉１２とストッパー板１３とを設けて、所望の箇所に設けた押し玉１２とストッパー板１３とで捕獲容器１の上部容器体３における小穴部５を挟むことにより、紐１１が捕獲容器１の上部容器体３における小穴部５に取り付くようになり、これにより、吊り下げ誘引板１０を捕獲容器１の侵入用穴部７から吊り下げるようにしている。なお、この吊り下げ誘引板１０は、紐１１によって捕獲容器１側に取り付けているが、吊り下げ誘引板１０の上部の形状を変更することにより、吊り下げ誘引板１０を捕獲容器１側に直接取り付けるようにしても良い。
【００１９】
そして、この吊り下げ誘引板１０には、色を付けることにより、ハエやハチ等の飛翔昆虫類の誘引力を高めることができる。例えば、黒や赤や緑等が好ましく、また、一色ではなく複数色にしても良い。
【００２０】
この吊り下げ誘引板１０にあっては、前述した紙、木材、樹脂等の一般的な材料で良く、板状になるものならどのようなものでも良い。また、その形等についても前述した一枚の縦長の長方形状である短冊状に限定されるものではなく、後述する他の形状あるいは形態等でも良い。
【００２１】
ただし、吊り下げ誘引板１０において、その大きさは、ハエやハチ等の飛翔昆虫類の誘引を良好に行うための視認性や接触性等を考慮して、その面積を、１〜１０００ｃｍ２に、より好ましくは、９〜２５０ｃｍ２にするのが良い。また、短冊状の吊り下げ誘引板１０の場合、その縦の長さについては、吊り下げ誘引板１０に飛翔昆虫類が着地後、飛び去ってしまうといったことを防ぐため、２０ｃｍ以下にするのが好ましい。
【００２２】
そして、捕獲容器１内部の捕獲室２の凹部８には、液体１５を収納する。この液体１５は、醸造酢、醸造酒、果汁等の誘引作用を有する誘引液や水である。誘引液を使用した場合は、その誘引作用によって、飛翔昆虫類をより一層良好に誘引することができる。一方、水を使用した場合は、臭気等の発生がなく、使用時、使用者に一切の不快感を与えるといったことがないと共に、水であるので、安全でこぼれても床等を汚すことがない等の好適な点がある。また、これらの誘引液や水に殺虫剤等を混ぜても良い。さらに、捕獲室２に収納する物質としては、液体１５に限定されるものではなく、ゲル状物質等でも良い。そして、これらに醸造酢、醸造酒、果汁等を入れるようにしても良い。なお、捕獲室２の凹部８には液体１５等を収納するようにしていたが、飛翔昆虫類の習性等を考慮すれば、捕獲室２に液体１５等を収納することなく、捕獲室２の内面を粘着剤でコーティングする、あるいは粘着シートを貼着だけでも、飛翔昆虫類を捕獲することが可能である。なお、このように捕獲室２の内面に粘着剤でコーティング等する場合、捕獲容器１内部にリング状の凹部８を設ける必要はない。
【００２３】
次に、このようになる飛翔昆虫類捕獲器における実際の使用例について説明する。なお、この使用例としては、ハエを捕獲する例である。
【００２４】
捕獲容器１における上部容器体３の小穴部５より飛び出した紐１１の輪を、例えば台所の天井や壁等に装着したフックに引っ掛けることで、当該飛翔昆虫類捕獲器を台所に配置する。
【００２５】
すると、飛び回っているハエが当該飛翔昆虫類捕獲器における吊り下げ誘引板１０を止り木と思い、足場として吊り下げ誘引板１０に着地する。そして、吊り下げ誘引板１０に着地したハエは、ハエやハチ等の飛翔昆虫類における負の走地性により、吊り下げ誘引板１０を上方に向かって移動する。この負の走地性とは、飛翔昆虫類等において、重力に逆らって上方に向かって移動する性質のことである。
【００２６】
そして、この負の走地性により、ハエは吊り下げ誘引板１０から上方の紐１１に、そして紐１１を伝わって、捕獲容器１における下部容器体４の侵入用穴部７より捕獲容器１内部に入り込む。その後、捕獲容器１内部において飛び回り、捕獲容器１内部を飛び回った後、捕獲容器１内部の捕獲室２の液体１５に触れて、液体１５が醸造酢等の誘引液や水の場合は溺死し、液体１５が誘引液や水に殺虫剤等を混ぜたものの場合はそれに触れて死ぬようになる。
【００２７】
このようにして、当該飛翔昆虫類捕獲器を台所に配置して、捕獲容器１内部の捕獲室２にハエを捕獲することで、台所付近にいるハエを駆除することができる。そして、捕獲容器１内部に捕獲したハエについては、これを廃棄することによって、当該飛翔昆虫類捕獲器を何度でも繰り返して使用することができる。
【００２８】
次に、吊り下げ誘引板１０における他の形状あるいは形態について述べる。ただし、これらに限定されるものではない。
【００２９】
吊り下げ誘引板１０としては、図４に示すように、短冊状の吊り下げ誘引板１０の上辺２０を山形にして、上端に向かって横幅が狭くなる形状にする。あるいは、図５に示すように、短冊状の吊り下げ誘引板１０の上辺２０を弓形、具体的には半円形にして、上端に向かって横幅が狭くなる形状にする。
【００３０】
このように吊り下げ誘引板１０をその上端に向かって横幅が狭くなる形状にしたことにより、吊り下げ誘引板１０に着地したハエやハチ等の飛翔昆虫類を負の走地性により吊り下げ誘引板１０の上端まで確実に移動させて、捕獲容器１内部に導くことができる。これは、上辺２０が水平であると、吊り下げ誘引板１０の上端まで移動してきた飛翔昆虫類が上辺２０から飛び去ってしまうといったことが多少あり、吊り下げ誘引板１０をその上端に向かって横幅が狭くなる形状にすることで、これを防止することができる。なお、この吊り下げ誘引板１０における上端に向かって横幅が狭くなる形状については、上端を尖らせるほど良好な効果を得ることができる。
【００３１】
また、前述の吊り下げ誘引板１０における上端に向かって横幅が狭くなる形状にすることを考慮すると、例えば、図６に示すように、吊り下げ誘引板１０全体を円形状にしても良いし、あるいは、図７に示すように、全体を三角形状にしても良い。また、その他の多角形状や星型形状にしても良い。
【００３２】
さらに、吊り下げ誘引板１０における他の形態としては、図８に示すように、複数枚、例えば二枚の短冊状の吊り下げ誘引板１０を用意して、この二枚の短冊状の吊り下げ誘引板１０を幅方向で交差させて十字状につなぎ合わせる。そして、この十字状となる二枚の吊り下げ誘引板１０を、捕獲容器１の侵入用穴部７から吊り下げるようにする。また、図９に示すように、短冊状の吊り下げ誘引板１０の代わりに、円形状にした吊り下げ誘引板１０を用いるようにしても良いし、あるいは、図１０に示すように、三角形状にした吊り下げ誘引板１０を用いるようにしても良い。
【００３３】
このように二枚の吊り下げ誘引板１０を幅方向で交差させて十字状につなぎ合わせたことにより、吊り下げ誘引板１０を３６０度どの方向からもハエやハチ等の飛翔昆虫類に視認させることができ、これらの吊り下げ誘引板１０にハエやハチ等の飛翔昆虫類を極めて高い確率で着地させことができる。要するに、吊り下げ誘引板１０におけるハエやハチ等の飛翔昆虫類の誘引力を高めることにより、飛翔昆虫類の捕獲率を大幅に高めることができる。
【００３４】
なお、つなぎ合わせる吊り下げ誘引板１０については、前述したような二枚に限定されるものではなく、それ以上の複数枚の吊り下げ誘引板１０を用意し、これらをつなぎ合わせるようにしても良い。
【００３５】
次に、本発明による飛翔昆虫類捕獲器において、各試験を行ったので、これらについて説明する。
【００３６】
第一の試験として、飛翔昆虫類捕獲器における吊り下げ誘引板１０の効果について試験した。図１１（ａ）に示すように、捕獲容器１の下部に短冊状の吊り下げ誘引板１０を吊り下げた試験品Ａと、図１１（ｂ）に示すように、吊り下げ誘引板１０のない試験品Ｂとを使用して、捕獲容器１内部への捕獲数を調べた。なお、試験品Ａにおける短冊状の吊り下げ誘引板１０としては、縦の長さ１５ｃｍ、横幅６．５ｃｍ、厚さ０．５ｍｍの黒色の塩化ビニル板とする。また、各試験品における捕獲容器１内部には誘引液として、市販の醸造酢（赤酢）と水を１：１に溶いた液を収納する。
【００３７】
そして、チャンバー（大きさは、縦１．８２ｍ、横１．８２ｍ、高さ１．８２ｍ）内の天井に試験品Ａと試験品Ｂを吊るして、チャンバー内に、キイロショウジョウバエ（Ｄｒｏｓｏｐｈｉｌａ  ｍｅｌａｎｏｇａｓｔｅｒ）１００匹とイエバエ（Ｄｏｍｅｓｔｉｃａ  ｍｕｓｃａ）５０匹を放ち、２４時間経過した後に試験品Ａと試験品Ｂで捕獲したハエの数、すなわち捕獲数を数えた。この結果を、以下の表１に示す。
【００３８】
【表１】
2008283927.tif 000003
【００３９】
試験品Ａでは、その捕獲数が１１４匹、試験品Ｂでは、その捕獲数が２匹であり、これから、吊り下げ誘引板１０を吊り下げたものの方が、吊り下げ誘引板１０のないものよりも明らかに捕獲において著しい効果があることがわかる。
【００４０】
第二の試験として、本発明による飛翔昆虫類捕獲器と従来の捕獲器との捕獲効果について試験した。図１２（ａ）に示すように、捕獲容器１内部に水２１のみを収納すると共に、捕獲容器１の下部に短冊状の吊り下げ誘引板１０を吊り下げた試験品Ａと、図１２（ｂ）に示すように、従来の捕獲器と同様、吊り下げ誘引板１０を吊り下げることなく、捕獲容器１内部に誘引液２２を収納して、この捕獲容器１内部に収納した誘引液２２の臭気によって誘引して捕獲するようにした試験品Ｂとを使用して、捕獲容器１内部への捕獲数を調べた。なお、試験品Ａにおける短冊状の吊り下げ誘引板１０としては、縦の長さ１５ｃｍ、横幅６．５ｃｍ、厚さ０．５ｍｍの黒色の塩化ビニル板とする。
【００４１】
そして、チャンバー（大きさは、縦１．８２ｍ、横１．８２ｍ、高さ１．８２ｍ）内の天井に試験品Ａと試験品Ｂを吊るして、チャンバー内に、キイロショウジョウバエ１００匹とイエバエ５０匹を放ち、２４時間経過した後に試験品Ａと試験品Ｂで捕獲したハエの数、すなわち捕獲数を数えた。この結果を、以下の表２に示す。
【００４２】
【表２】
2008283927.tif 000004
【００４３】
試験品Ａでは、その捕獲数が７７匹、試験品Ｂでは、その捕獲数が１２匹であり、これから、吊り下げ誘引板１０を吊り下げた本発明による飛翔昆虫類捕獲器の方が、従来の捕獲器よりも明らかに捕獲において著しい効果がある。要するに、本発明による飛翔昆虫類捕獲器の方が、誘引液等の臭気によって飛翔昆虫類を誘引して捕獲する従来の捕獲器よりも極めて高い捕獲効果を得ていることがわかる。
【００４４】
第三の試験として、飛翔昆虫類捕獲器における吊り下げ誘引板１０の大きさについて試験した。まず、厚さ０．５ｍｍの黒色の塩化ビニル板を用意する。この塩化ビニル板を、一辺３ｃｍ（面積：９ｃｍ２）の正方形状、一辺４．５ｃｍ（面積：２０．２５ｃｍ２）の正方形状、一辺６ｃｍ（面積：３６ｃｍ２）の正方形状、一辺９ｃｍ（面積：８１ｃｍ２）の正方形状、一辺１３ｃｍ（面積：１６９ｃｍ２）の正方形状、一辺１６ｃｍ（面積が２５６ｃｍ２）の正方形状、の大きさに製作し、これらを捕獲容器１にそれぞれ吊り下げる。そして、吊り下げ誘引板１０がない（面積：０ｃｍ２）ものを試験品Ａ、一辺３ｃｍ（面積：９ｃｍ２）の大きさのものを試験品Ｂ、一辺４．５ｃｍ（面積：２０．２５ｃｍ２）の大きさのものを試験品Ｃ、一辺６ｃｍ（面積：３６ｃｍ２）の大きさのものを試験品Ｄ、一辺９ｃｍ（面積：８１ｃｍ２）の大きさのものを試験品Ｅ、一辺１３ｃｍ（面積：１６９ｃｍ２）の大きさのものを試験品Ｆ、一辺１６ｃｍ（面積が２５６ｃｍ２）の大きさのものを試験品Ｇとする。なお、各試験品における捕獲容器１内部には誘引液として、市販の醸造酢（赤酢）と水を１：１に溶いた液を収納する。
【００４５】
そして、チャンバー（大きさは、縦１．８２ｍ、横１．８２ｍ、高さ１．８２ｍ）内の天井に、試験品Ａ、試験品Ｂ、試験品Ｃ、試験品Ｄ、試験品Ｅ、試験品Ｆ、試験品Ｇをそれぞれ吊るして、チャンバー内に、キイロショウジョウバエを３５０匹放ち、２４時間経過した後に試験品Ａから試験品Ｇで捕獲したハエの数、すなわち捕獲数を数えた。この結果を、以下の表３に示す。
【００４６】
【表３】
2008283927.tif 000005
【００４７】
試験品Ａでは、その捕獲数が１匹であるが、試験品Ｂでは、捕獲数が２０匹と大幅に増え、試験品Ｃ、試験品Ｄでは、捕獲数が３７匹、４７匹とさらに増える。その後の試験品Ｅ、試験品Ｆ、試験品Ｇでも、捕獲数が増えた。
【００４８】
よって、吊り下げ誘引板１０の大きさとしては、試験品Ｂである吊り下げ誘引板１０の面積が約９ｃｍ２以上になると、ハエを良好に捕獲することができ、そして、吊り下げ誘引板１０の面積が大きくなるにしたがって、捕獲数も増えて行き、捕獲において著しい効果があることがわかる。ただし、吊り下げ誘引板１０をあまり大きくすると、飛翔昆虫類捕獲器としてのデザイン的にも、実用的にも劣ったものになってしまうといった問題が生じるおそれがあると共に、吊り下げ誘引板１０におけるハエの着地点から上方の捕獲容器１までの距離が長くなると、例えば約２０ｃｍよりも長くなると、吊り下げ誘引板１０に着地したハエが飛び去ってしまうといった問題が起こる。これらのことから、吊り下げ誘引板１０の大きさとしては、その面積において、１〜１０００ｃｍ２、好ましくは９〜２５０ｃｍ２、より好ましくは２０〜１７０ｃｍ２が良い。
【００４９】
第四の試験として、飛翔昆虫類捕獲器における吊り下げ誘引板１０の形状について試験した。図１３（ａ）に示すように、捕獲容器１の下部に縦長の長方形状である短冊状の吊り下げ誘引板１０を吊り下げた試験品Ａと、図１３（ｂ）に示すように、短冊状の吊り下げ誘引板１０の上辺２０を山形にして、上端に向かって横幅が狭くなる形状にした吊り下げ誘引板１０を吊り下げた試験品Ｂと、図１３（ｃ）に示すように、円形状の吊り下げ誘引板１０を吊り下げた試験品Ｃとを使用して、捕獲容器１内部への捕獲数を調べた。なお、各試験品における吊り下げ誘引板１０には、厚さ０．５ｍｍの黒色の塩化ビニル板を用いて、各試験品における吊り下げ誘引板１０の面積をすべて約８０ｃｍ２となるように、すなわち面積を同じにする。また、各試験品における捕獲容器１内部には誘引液として、市販の醸造酢（赤酢）と水を１：１に溶いた液を収納する。
【００５０】
そして、チャンバー（大きさは、縦１．８２ｍ、横１．８２ｍ、高さ１．８２ｍ）内の天井に、試験品Ａ、試験品Ｂ、試験品Ｃをそれぞれ吊るして、チャンバー内に、キイロショウジョウバエを１００匹放ち、２４時間経過した後に試験品Ａから試験品Ｃで捕獲したハエの数、すなわち捕獲数を数えた。この結果を、以下の表４に示す。
【００５１】
【表４】
2008283927.tif 000006
【００５２】
試験品Ａでは、その捕獲数が１２匹、試験品Ｂでは、その捕獲数が４１匹、試験品Ｃでは、その捕獲数が４２匹であり、これから、吊り下げ誘引板１０の上辺２０を山形にし又は円形にして、上端に向かって横幅が狭くなる形状にしたもの（試験品Ｂ、試験品Ｃ）の方が、上辺２０が水平のもの（試験品Ａ）よりも明らかに捕獲において著しい効果があることがわかる。
【００５３】
これは、吊り下げ誘引板１０の上辺２０を山形にし又は円形にすることで、着地したハエが負の走地性により吊り下げ誘引板１０の上端まで移動して捕獲容器１内に入るが、その際、吊り下げ誘引板１０の上辺２０において、山形又は円形（弓形）にすることで、上辺２０が水平のものと比べて、ハエをスムーズに誘導して上方に移動させることができ、着地したハエが飛び去るのをなくすことができるからと考えられる。
【００５４】
第五の試験として、飛翔昆虫類捕獲器における吊り下げ誘引板１０の形態について試験した。図１４（ａ）に示すように、捕獲容器１の下部に縦長の長方形状である短冊状の吊り下げ誘引板１０を吊り下げた試験品Ａと、図１４（ｂ）に示すように、円形状の吊り下げ誘引板１０を吊り下げた試験品Ｂと、図１４（ｃ）に示すように、二枚の短冊状の吊り下げ誘引板１０を幅方向で交差させて十字状につなぎ合わせたもの（試験品Ａの吊り下げ誘引板１０を二枚使用する）を吊り下げた試験品Ｃと、図１４（ｄ）に示すように、円形状の吊り下げ誘引板１０を幅方向で交差させて十字状につなぎ合わせたもの（試験品Ｂの吊り下げ誘引板１０を二枚使用する）を吊り下げた試験品Ｄとを使用して、捕獲容器１内部への捕獲数を調べた。なお、各試験品における吊り下げ誘引板には、厚さ０．５ｍｍの黒色の塩化ビニル板を用いて、各試験品における吊り下げ誘引板１０の一枚当たりの面積をすべて約８０ｃｍ２となるように、すなわち面積を同じにする。また、各試験品における捕獲容器１内部には誘引液として、市販の醸造酢（赤酢）と水を１：１に溶いた液を収納する。
【００５５】
そして、チャンバー（大きさは、縦１．８２ｍ、横１．８２ｍ、高さ１．８２ｍ）内の天井に、試験品Ａ、試験品Ｂ、試験品Ｃ、試験品Ｄをそれぞれ吊るして、チャンバー内に、キイロショウジョウバエを１５０匹放ち、２４時間経過した後に試験品Ａから試験品Ｄで捕獲したハエの数、すなわち捕獲数を数えた。この結果を、以下の表５に示す。
【００５６】
【表５】
2008283927.tif 000007
【００５７】
試験品Ａでは、その捕獲数が４匹、試験品Ｂでは、その捕獲数が１１匹、試験品Ｃでは、その捕獲数が２６匹、試験品Ｄでは、その捕獲数が９０匹であり、これから、一枚の吊り下げ誘引板１０を用いたものより、二枚の吊り下げ誘引板１０を十字状につなぎ合わせたものの方が、ハエを捕獲する上で、著しい効果があることがわかる。特に、円形状の吊り下げ誘引板１０を十字状につなぎ合わせたものは、非常に良い結果がでている。
【００５８】
これらのことから、一枚の吊り下げ誘引板１０を用いたものより、二枚の吊り下げ誘引板１０を十字状につなぎ合わせて用いたものの方が、捕獲率が大幅に高まると共に、つなぎ合わせる吊り下げ誘引板１０を三枚以上の複数枚にすると、より一層捕獲率が高まることが考えられる。
【００５９】
これについては、ハエ等の飛翔昆虫類は視覚によって物を認識することが可能であり、これにより、複数枚の吊り下げ誘引板１０をつなぎ合わせることで、３６０度どの方向からも飛翔昆虫類が吊り下げ誘引板１０を良好に視認することができ、この吊り下げ誘引板１０を止り木と思い、足場として着地するようになると考えられる。
【００６０】
第六の試験として、飛翔昆虫類捕獲器において、二枚の吊り下げ誘引板１０を十字状につなぎ合わせたものにおける吊り下げ誘引板１０の形状について試験した。図１５（ａ）に示すように、捕獲容器１の下部に縦長の長方形状である短冊状でかつ上辺２０を山形にした吊り下げ誘引板１０を幅方向で交差させて十字状につなぎ合わせたものを吊り下げた試験品Ａと、図１５（ｂ）に示すように、捕獲容器１の下部に円形状の吊り下げ誘引板１０を幅方向で交差させて十字状につなぎ合わせたものを吊り下げた試験品Ｂと、図１５（ｃ）に示すように、捕獲容器１の下部に三角形状の吊り下げ誘引板１０を幅方向で交差させて十字状につなぎ合わせたものを吊り下げた試験品Ｃとを使用して、捕獲容器１内部への捕獲数を調べた。なお、各試験品における吊り下げ誘引板１０には、厚さ０．５ｍｍの黒色の塩化ビニル板を用いて、各試験品における吊り下げ誘引板１０の一枚当たりの面積をすべて約８０ｃｍ２となるように、すなわち面積を同じにする。また、各試験品における捕獲容器１内部には誘引液として、市販の醸造酢（赤酢）と水を１：１に溶いた液を収納する。
【００６１】
そして、チャンバー（大きさは、縦１．８２ｍ、横１．８２ｍ、高さ１．８２ｍ）内の天井に、試験品Ａ、試験品Ｂ、試験品Ｃをそれぞれ吊るして、チャンバー内に、キイロショウジョウバエを２００匹放ち、２４時間経過した後に試験品Ａから試験品Ｃで捕獲したハエの数、すなわち捕獲数を数えた。この結果を、以下の表６に示す。
【００６２】
【表６】
2008283927.tif 000008
【００６３】
試験品Ａでは、その捕獲数が４２匹、試験品Ｂでは、その捕獲数が４６匹、試験品Ｃでは、その捕獲数が７７匹であり、略短冊状の吊り下げ誘引板１０を使用した試験品Ａや円形状の吊り下げ誘引板１０を使用した試験品Ｂと比べて、三角形状の吊り下げ誘引板１０を使用した試験品Ｃが、極めて高い捕獲数となっており、これから、三角形状の吊り下げ誘引板１０が、ハエを捕獲する上で、さらに著しい効果があることがわかる。
【図面の簡単な説明】
【００６４】
【図１】本発明の飛翔昆虫類捕獲器の正面図である。
【図２】本発明の飛翔昆虫類捕獲器の上面図である。
【図３】本発明の飛翔昆虫類捕獲器の断面図である。
【図４】本発明の飛翔昆虫類捕獲器における他の形状の吊り下げ誘引板を説明した正面図である。
【図５】本発明の飛翔昆虫類捕獲器における他の形状の吊り下げ誘引板を説明した正面図である。
【図６】本発明の飛翔昆虫類捕獲器における他の形状の吊り下げ誘引板を説明した正面図である。
【図７】本発明の飛翔昆虫類捕獲器における他の形状の吊り下げ誘引板を説明した正面図である。
【図８】本発明の飛翔昆虫類捕獲器における他の形態の吊り下げ誘引板を説明した正面図である。
【図９】本発明の飛翔昆虫類捕獲器における他の形態の吊り下げ誘引板を説明した正面図である。
【図１０】本発明の飛翔昆虫類捕獲器における他の形態の吊り下げ誘引板を説明した正面図である。
【図１１】（ａ）第一の試験における試験品Ａを説明する正面図である。（ｂ）第一の試験における試験品Ｂを説明する正面図である。
【図１２】（ａ）第二の試験における試験品Ａを説明する正面図である。（ｂ）第二の試験における試験品Ｂを説明する正面図である。
【図１３】（ａ）第四の試験における試験品Ａを説明する正面図である。（ｂ）第四の試験における試験品Ｂを説明する正面図である。（ｃ）第四の試験における試験品Ｃを説明する正面図である。
【図１４】（ａ）第五の試験における試験品Ａを説明する正面図である。（ｂ）第五の試験における試験品Ｂを説明する正面図である。（ｃ）第五の試験における試験品Ｃを説明する正面図である。（ｄ）第五の試験における試験品Ｄを説明する正面図である。
【図１５】（ａ）第六の試験における試験品Ａを説明する正面図である。（ｂ）第六の試験における試験品Ｂを説明する正面図である。（ｃ）第六の試験における試験品Ｃを説明する正面図である。
【符号の説明】
【００６５】
１…捕獲容器、２…捕獲室、３…上部容器体、４…下部容器体、５…小穴部、６…筒部、７…侵入用穴部、８…凹部、１０…吊り下げ誘引板、１１…紐、１２…押し玉、１３…ストッパー板、１５…液体、２０…上辺、２１…水、２２…誘引液
【図１】
2008283927.tif 000009
【図２】
2008283927.tif 000010
【図３】
2008283927.tif 000011
【図４】
2008283927.tif 000012
【図５】
2008283927.tif 000013
【図６】
2008283927.tif 000014
【図７】
2008283927.tif 000015
【図８】
2008283927.tif 000016
【図９】
2008283927.tif 000017
【図１０】
2008283927.tif 000018
【図１１】
2008283927.tif 000019
【図１２】
2008283927.tif 000020
【図１３】
2008283927.tif 000021
【図１４】
2008283927.tif 000022
【図１５】
2008283927.tif 000023